(57)【要約】  【課題】  エチゼンクラゲ等の巨大クラゲを排除し、魚類を有効に捕獲する定置網を提供することを課題としている。  【構成】  海流が流れている漁場に敷設される定置網において、前記定置網の囲網の登網部と箱網との間に第２囲網を設け、該第２囲網に前記箱網の入口に連通する魚道を設けると共に、該第２囲網内の巨大クラゲを外部に解放し、該第２囲網内の魚類は外部に逃がさないように構成した選択的解放手段を該第２囲網部の下流側に設けたことを特徴とする。【選択図】  図１
2009201463.tif 000002
【特許請求の範囲】
【請求項１】
海流が流れている漁場に敷設される定置網において、前記定置網の囲網の登網部と箱網との間に第２囲網を設け、該第２囲網に前記箱網の入口に連通する魚道を設けると共に、該第２囲網内の巨大クラゲを外部に解放し、該第２囲網内の魚類は外部に逃がさないように構成した選択的解放手段を該第２囲網の下流側に設けたことを特徴とする定置網。
【請求項２】
前記選択的解放手段は、前記第２囲網と連通する小室を該第２囲網の下流側に設け、該小室の底部に気泡発生器を配置し、該小室の天井網壁に外部海中に連通する開口を設けて、前記巨大クラゲを該気泡発生器から発生した気泡により浮上させ、前記開口から巨大クラゲを外部海中に解放すると同時に前記気泡により魚類を威嚇して該小室内部への進入を防止するように構成したことを特徴とする請求項１に記載の定置網。
【請求項３】
前記小室の底部の高さを前記囲網の登網部の出口端の高さよりも低くしたことを特徴とする請求項２に記載の定置網。
【請求項４】
前記小室の天井網壁の高さを、前記第２囲網に進入した巨大クラゲの遊泳高さよりも高くし、該天井網壁の全面を開口としたことを特徴とする請求項２〜請求項３に記載の定置網。
【請求項５】
前記選択的解放手段は、前記第２囲網の下流側に１対の下流に向かって下方に傾斜する第１傾斜網壁と下流に向かって上方に傾斜する第２傾斜網壁とを設け、該第１傾斜網壁を該第２傾斜網壁の上方に設けると共に、該第１傾斜網壁の下端縁を該第２傾斜網壁の上端縁に対して海流の流れ方向に前後して配置し、該第１傾斜網壁の下端縁と該第２傾斜網壁の上端縁との間隙から巨大クラゲが通過可能に形成し、更に、該第１傾斜網壁と該第２傾斜網壁は魚類を威嚇して前記第２囲網内部の魚類が前記隙間から外部へ逃げないように構成したことを特徴とする請求項１に記載の定置網。
【請求項６】
前記第１傾斜網壁及び第２傾斜網壁は、目合の小さい網材、網糸の太い網材、又は、黄色などの目立つ色彩の網材で構成したことを特徴とする請求項５に記載の定置網。
【請求項７】
該第１傾斜網壁の下端縁を該第２傾斜網壁の上端縁よりも下方に配置し、かつ、海流の流れ方向に対して後方に配置したことを特徴とする請求項５〜請求項６に記載の定置網。
【請求項８】
該第１傾斜網壁及び該第２傾斜網壁は、水平断面が直線又は凹形状曲線となるように構成したことを特徴とする請求項５〜請求項７に記載の定置網。
【発明の詳細な説明】
【技術分野】
【０００１】
この発明は、定置網の囲網内に進入したエチゼンクラゲ等の巨大クラゲが箱網の内部に進入することを防止した定置網に関するものである。
【背景技術】
【０００２】
定置網（又は建網ともいう）は海中に網を敷設し、回遊してきて網に迷い込んだ魚を漁獲する方法であり、日本における漁獲技術の１つとして従来から使用され、現在なおも採用されている漁獲方法である。日本近海には多くの海流（例えば、黒潮や親潮）が流れており、この海流に乗っていろいろな種類の魚、例えば、鰯、鰺、鯖、鰹、鮪、ブリや鮭等が回遊してくる。
【０００３】
定置網の種類や構成及び敷設方法等については多くの文献やホームページ（以下、ＨＰと略記する）に開示されている。例えば、非特許文献１〜４に掲載されている。ここでは、図９に標準的な大型定置網の１例を示す。図９に示すように、定置網５０は垣網５１、囲網５２、第１箱網６２、第２箱網６３、小船６４から構成されている。囲網５２の内部には運動場と呼んでいるスペース５２ａと登網部と呼ばれているスペース５２ｂとが設けられている。また、定置網６０は、図示省略の浮子並びに沈子によって固定されている（非特許文献１、２を参照）。また、囲網５２と垣網５１が交差する点には囲網入口（端口と呼ばれている）５６が設けられている。この場合は垣網５１の両側に端口が有るので両端口という。なお、垣網５１は海流の流れ方向と直交する方向に張られ、囲網５２、第１箱網６２、第２箱網６３は流れ方向に敷設されるのが一般的である。
【非特許文献１】野村正恒著、最新漁業技術一般、成山堂書店、１８０〜１９６頁、平成１２年４月出版
【非特許文献２】金田禎之著、日本の漁業と漁法、成山堂書店、７４〜８５頁、平成１７年６月出版
【非特許文献３】鈴木マリーンＨＰ、海の散歩道０３０２、釣師の通らない道Ｖｏｌ．１０、周辺の海の環境−９、定置網−４、定置網のしくみ
【非特許文献４】泉澤水産ＨＰ、定置網
【０００４】
上記した構成により、海流に乗って回遊して来た魚類は垣網５１に進路を遮られ、垣網５１に沿って沖合方向に誘導される。誘導された魚類の一部は端口５６を通って囲網５２内部に入る。沖合方向に移動しない魚類も有るが、これらの魚類は対象外である。囲網５２内部に入った魚類の一部は運動場５２ａの内部で遊泳し、外部に逃げて行くが、他の一部は登網部５２ｂを登って、第１箱網６２，第２箱網６３へと進入する。箱網６２，箱網６３の出口は狭められ、かつ、段差が設けられているため、第２箱網６３に入った魚類は簡単に外部に脱出はできない。
【０００５】
上記した定置網は海流に乗って回遊してくる魚類を捕獲する漁法であり、比較的に少ない労力で、しかも大量の魚類を捕獲することができ、種々の魚類に適用できる有力な漁法の１つであった。しかし、近年、中国や韓国の沿岸でエチゼンクラゲが大発生し、成長しながら海流（対馬暖流）に乗って日本海を北上し、日本海の沿岸にも来遊するという現象が頻発するようになってきた。日本海沿岸に来遊したエチゼンクラゲは定置網にも進入し、定置網漁業に大きな被害を与えている。エチゼンクラゲの大きなものは傘の直径が１ｍ以上、重量２００ｋｇにもなるために、エチゼンクラゲの入網により漁具の破損、操業効率の低下、操業海域の縮小、選別時間の増加、クラゲの触手による魚体の損傷（商品価値の低下）等の被害が生じている（非特許文献５，６参照）。
【非特許文献５】島根県水産試験場ＨＰ、エチゼンクラゲについて
【非特許文献６】安田徹編、海のＵＨＯクラゲ、１１６−１２０頁、恒星社厚生閣
【０００６】
エチゼンクラゲの定置網内への入網を防止する有効な手段は現在開発中である。提案された方法としては非特許文献７に開示されているものがある。提案された方法では垣網の目合を拡大し、エチゼンクラゲを網目から通過させて身網（囲網等）に進入する数量を減らす方法である。しかし、エチゼンクラゲの入網を完全に防止することは困難で、数匹のエチゼンクラゲが入網するだけで大きな被害が生じる。更に、現在の垣網を改良する方法ではコスト高になるという問題が生じ、実用的に大きな問題がある。
【非特許文献７】海洋センターＨＰ、定置網漁業第５回、１−２エチゼンクラゲ対策
【発明の開示】
【発明が解決しようとする課題】
【０００７】
本願発明はこのような状況下でなされたものであり、比較的簡単な改良によってエチゼンクラゲ等の巨大クラゲを排除し、魚類を有効に捕獲する定置網を提供することを課題としている。
【課題を解決するための手段】
【０００８】
本願発明は、上記の課題を解決するために以下の構成を採用している。即ち、
請求項１に記載の発明は、海流が流れている漁場に敷設される定置網において、前記定置網の囲網の登網部と箱網との間に第２囲網を設け、該第２囲網に前記箱網の入口に連通する魚道を設けると共に、該第２囲網内の巨大クラゲを外部に解放、該第２囲網内の魚類は外部に逃がさないように構成した選択的解放手段を該第２囲網の下流側に設けたことを特徴としている。
本発明は魚類と共にエチゼンクラゲ等の巨大クラゲ（以下、巨大クラゲという）も一緒に囲網内部に入網した場合に、選択的解放手段により、魚類のみを箱網（第１箱網、第２箱網）に誘導し、巨大クラゲは定置網の外部に放出することを特徴としている。
【０００９】
請求項２に記載の発明は、請求項１に記載の発明において、前記選択的解放手段は、前記第２囲網と連通する小室を該第２囲網の下流側に設け、該小室の底部に気泡発生器を配置し、該小室の天井網壁に外部海中に連通する開口を設けて、前記巨大クラゲを該気泡発生器から発生した気泡により浮上させ、前記開口から巨大クラゲを外部海中に解放すると同時に前記気泡により魚類を威嚇して該小室内部への進入を防止するように構成したことを特徴としている。
本発明は選択的解放手段として、気泡を利用したことを主な特徴としている。
【００１０】
請求項３に記載の発明は、請求項２に記載の発明において、前記小室の底部の高さを前記囲網の登網部の出口端の高さよりも低くしたことを特徴としている。
本発明は小室内に進入した巨大クラゲの放出を容易にしたことを主な特徴としている。
【００１１】
請求項４に記載の発明は、請求項１〜請求項３に記載の発明において、前記小室の天井網壁の高さを、前記第２囲網に進入した巨大クラゲの遊泳高さよりも高くし、該天井網壁の全面を開口としたことを特徴としている。
【００１２】
請求項５に記載の発明は、請求項１に記載の発明において、前記選択的開放手段は、前記第２囲網の下流側に１対の下流に向かって下方に傾斜する第１傾斜網壁と下流に向かって上方に傾斜する第２傾斜網壁とを設け、該第１傾斜網壁を該第２傾斜網壁の上方に設けると共に、該第１傾斜網壁の下端縁を該第２傾斜網壁の上端縁に対して海流の流れ方向に前後して配置し、該第１傾斜網壁の下端縁と該第２傾斜網壁の上端縁との間隙から巨大クラゲが通過可能に形成し、更に、該第１傾斜網壁と該第２傾斜網壁は魚類を威嚇して前記第２囲網内部の魚類が前記隙間から外部へ逃げないように構成したことを特徴としている。
本発明は選択的解放手段として、海流の流れエネルギーを利用して巨大クラゲを外部に放出することを主な特徴としている。
【００１３】
請求項６に記載の発明は、請求項５に記載の発明において、前記第１傾斜網壁及び第２傾斜網壁は、目合の小さい網材、網糸の太い網材、又は、黄色などの目立つ色彩の網材で構成したこと特徴としている。
本発明は魚類にとって、不自然な（海中において見慣れない）網材を利用して威嚇効果を強化することを主な特徴としている。
【００１４】
請求項７に記載の発明は、請求項５〜請求項６に記載の発明において、該第１傾斜網壁の下端縁を該第２傾斜網壁の上端縁よりも下方に配置し、かつ、海流の流れ方向に対して後方に配置したことを特徴としている。
【００１５】
請求項８に記載の発明は、請求項５〜請求項７に記載の発明において、該第１傾斜網壁及び該第２傾斜網壁は、水平断面が直線又は凹形状曲線となるように構成したことを特徴としている。
【発明の効果】
【００１６】
本願発明に依れば、魚類と共に一緒に囲網内に入網した巨大クラゲを定置網の外部に放出させ、箱網内部に進入するのを防止したので、魚体は損傷を受けずに捕獲でき、漁獲した魚類の商品価値を維持できるという効果が得られる。
【発明を実施するための最良の形態】
【００１７】
＜実施形態  １＞
図１〜図４を利用して本願発明の実施形態１を説明する。図１は実施形態１の定置網の要部を示す平面図である。図２は図１の矢視Ｘ−Ｘから見た側面断面図を示す。図３は第２囲網２０の下流側に設けた小室２１の斜視図を示す。なお、ここでは、定置網を敷設する方法は従来技術（例えば、非特許文献１、２を参照）を利用する。説明は省略する。図１〜図３において、囲網５２で、従来技術と同様にその下流側（海流の流れに対して）に登網部５２ｂが設けられる。登網部５２ｂの出口端５２ｃは網で囲まれた第２囲網２０の内部に配置される。第２囲網２０には第１箱網６２の入口６２ａに連通する連通路（魚道）が設けられている。実施形態１では入口６２ａは第２囲網２０の側網壁に直接接続されている。
【００１８】
また、第２囲網２０の下流側の網部２２に開口２２ｃが設けられ、該開口２２ｃの下流側に小室２１が設けられている。小室２１の底部２１ａは登網部５２ｂの出口下端５２ｃよりも低い（海底に近い）位置に形成され、側部２１ｂ及び後部２１ｄは出口端５２ｃよりも高い位置で、巨大クラゲ１０が進入して外側海中に解放するに適した高さ位置まで形成する。頂部２１ｃは開放され、海中に通じている。また、底部２１ａには気泡発生器２３が配設されている。気泡発生器２３の気泡発生量は巨大クラゲ１０を浮上させるに十分で、かつ、魚類１７に威嚇感を与えて魚類１７が小室２１への進入を防止するに十分な気泡発生量とする。
【００１９】
なお、第２囲網２０の下流側の網部２２中で小室２１よりも高い位置にある網部２２ａは下流側に向けて下向きに傾斜させ、小室２１よりも低い位置にある網部２２ｂは下流側に向けて上向きに傾斜させることが好ましい。これによって、海流に流されて下流側の網部２２に達した巨大クラゲは海流のエネルギーによって小室２１の開口方向に移動し、小室２１に進入しやすくなるからである。後部２１ｄは下流に向けて上向きに傾斜させることが好ましい。これによって、巨大クラゲを海中に解放するのが容易になる。また、海流の流れる方向が変化する場合は、後部２１ｄを水平断面が円弧等の凹面に形成することが好ましい。更に、第２囲網２０の網材は囲網５２と同じ目合いの網材、同じ太さの網材、同じ色の網材で構成して、魚類に特別な刺激を与えないのが望ましい。
【００２０】
図４は気泡発生器２３の気泡発生装置の全体図を示す。気泡発生装置は気泡発生器２３と圧縮空気製造装置２４、連結パイプ２５から構成される。これらの各部分要素は従来技術を利用している。以下、簡単に説明する。なお、圧縮空気製造装置２４は海面に浮かべる構成にしてもよいし、海底に沈めて固定する構成にしてもよい。ここでは、海面に浮かべる構成について説明する。気泡発生器２３は複数列の気泡発生管を並列に配置し、魚類１７を威嚇するように上流側の気泡発生量を多く発生し、全体として巨大クラゲ１０を浮上させるように構成する。圧縮空気製造装置２４は密閉された機械室２４ａと浮上させるための空気室２４ｂから構成され、機械室２４ａにはバッテリ２６と圧縮機２７が配置され、圧縮機２７には空気取入パイプ２８、圧縮空気吐出管２９が接続されている。空気室２４ｂは圧縮空気製造装置２４が安定した状態で海面に浮かぶに必要な浮力を与える空気、又は比重の軽い物質を入れる。
【００２１】
実施形態１は以上のように構成したので以下のように機能する。即ち、海流に乗って来た魚類１７及び巨大クラゲ１０は、垣網５１に当たって進路を変更し、垣網５１に沿いつつ沖合の方向に誘導され、垣網１１の先端にある端口５６から囲網５２の内部に進入する。進入した魚類１７及び巨大クラゲ１０の一部は、更に登網部５２ａを登って第２囲網２０内に進入する。第２囲網２０内に進入した巨大クラゲ１０は海流に流されて下流方向に移動し、小室２１に進入する。小室２１に進入する巨大クラゲ１０は気泡発生器２３からの気泡によって、海流に流されながら浮上し、頂部２１ｃから外側の海中に解放される。
【００２２】
一方、第２囲網２０の内部に進入した魚類１７は、一部が登網部５２ａから囲網５２の方に戻る。しかし、大部分は第２囲網２０内部にとどまるか、入口６２ａを通って、第１箱網６２の方へ移動する。また、小室２１の方向に移動した魚類１７は、下から発生している気泡壁に驚いて上流方向下向きに移動し、第２囲網２０内部にとどまるか、入口６２ａを通って、第１箱網６２の方へ移動する。また、第２囲網２０内部にとどまっている魚類１７の多くはいずれ入口６２ａを通って、第１箱網６２の方へ移動する。
以上に説明したように、本実施形態では、第２囲網２０及び小室を設けたことにより、巨大クラゲ１０を解放して、魚類１７のみを第１箱網６２（更に、第２箱網６３）に導くという効果が得られる。
【００２３】
＜実施形態  ２＞
図５〜図８を利用して実施形態２を説明する。図５は実施形態２の平面図を示し、図６は図５の矢視Ｙ−Ｙから見た側面断面図を示す。また、図７および図８は実施形態２の選択的開放手段の詳細図を示す。これらの図に示すように、実施形態２は気泡発生装置を利用しない点で実施形態１と相違する。以下に、同じ構成の部分は簡単に説明し、相違する点を詳細に説明する。
【００２４】
図５、図６において、第２囲網２０の下流側の網部２２に開口３０を設け、開口３０の下流方向に一対の傾斜した網壁、第１傾斜網壁３２及び第２傾斜網壁３３を設ける。第１傾斜網壁３２は下流に向かって下方に傾斜する網壁とし、第２傾斜網壁３３は下流に向かって上方に傾斜する網壁から構成されている。また、第１傾斜網壁３２は第２傾斜網壁３３の上方に設けると共に、該第１傾斜網壁３２の下部と該第２傾斜網壁３３の上部は水平方向（海流の流れ方向）に対して重なっており、かつ、前後して配置される。また、第１傾斜網壁３２の下端縁３２ａと該第２傾斜網壁３３の上端縁３３ａとの間の間隙３４から巨大クラゲ１０が通過できるように構成する。更に、第２囲網２０内の魚類１７が間隙３４から外部の海中に逃げないように、第１傾斜網壁３２と第２傾斜網壁３３は、目合の小さい網材、網糸の太い網材、又は、黄色などの目立つ色彩の網材で構成し、接近して来る魚類１７を威嚇して第２囲網２０内部に追い返し、魚類１７が隙間３４から外部へ逃げないように構成する。
【００２５】
図７は、第１傾斜網壁３２と第２傾斜網壁３３を平面形状に構成した場合を示す。図７（Ａ）は正面図、（Ｂ）は断面側面図、（Ｃ）は上平面図を示す。図７において、第１傾斜網壁３２は海流の下流に向かって下向きに形成され、第２傾斜網壁３３は海流の下流に向かって上向きに形成されている。また、第１傾斜網壁３２は、第２傾斜網壁３３の下流側に配置され、第１傾斜網壁３２の下端縁３２ａと該第２傾斜網壁３３の上端縁３３ａとの間の間隙３４から巨大クラゲ１０が通過できるように配置される。第１傾斜網壁３２の側壁、上壁及び第２傾斜網壁３３の側壁、下壁は網で第２囲網の下流側の網部２２に接続されて閉じている。また、第１傾斜網壁３２及び第２傾斜網壁３３の網材は魚類１７を威嚇して第２囲網２０内部に追い返す様な網材で構成すると共に、海流の流れ方向の重なる部分を大きくして魚類１７が隙間３４から外部へ逃げないように構成する。
【００２６】
図８は、第１傾斜網壁３２と第２傾斜網壁３３を曲面で構成した場合を示す。図８（Ａ）は正面図、（Ｂ）は断面側面図、（Ｃ）は上平面図を示す。図８において、第１傾斜網壁３２及び第２傾斜網壁３３は海流の下流に向かって水平断面が凹線となるように形成されている。これによって、海流の流れ方向が変化した場合でも、巨大クラゲ１０は第１傾斜網壁３２及び第２傾斜網壁３３の網面と略垂直に当たるので巨大クラゲ１０の浮上又は沈降が円滑に行われる。
なお、これまでは、第１傾斜網壁３２を第２傾斜網壁３３の下流側に配置した場合について説明してきたが、第１傾斜網壁３２を第２傾斜網壁３３の上流側に配置してもよい。
【００２７】
実施形態２は上記のように構成したので、以下のように機能する。第２囲網２０に進入した巨大クラゲ１０は海流に流されて下流方向に移動し、第１傾斜網壁３２又は第２傾斜網壁３３に達する。第１傾斜網壁３２に達した巨大クラゲ１０は海流のエネルギーによって沈降し、間隙３４を通って外部の海中に解放される。また、第２傾斜網壁３３に達した巨大クラゲ１０は海流のエネルギーによって浮上し、浮上した後に第１傾斜網壁３２まで流され、第１傾斜網壁３２に達した後に海流のエネルギーによって沈降し、間隙３４を通って外部の海中に解放される。
【００２８】
一方、第２囲網２０に進入した魚類１７は、一部が登網部５２ａから囲網５２の方に戻る。しかし、大部分は第２囲網２０内部にとどまるか、入口６２ａを通って、第１箱網６２の方へ移動する。また、第１傾斜網壁３２又は第２傾斜網壁３３に向かって移動した魚類１７は、海中では見慣れない第１傾斜網壁３２又は第２傾斜網壁３３に驚いて上流方向に移動し、第２囲網２０内部にとどまるか、入口６２ａを通って、第１箱網６２の方へ移動する。また、第２囲網２０内部にとどまっている魚類１７の多くはいずれ入口６２ａを通って、第１箱網６２の方へ移動する。
【００２９】
以上に説明したように、実施形態２では、一対の第１傾斜網壁３２及び第２傾斜網壁３３を設けたことにより、巨大クラゲ１０を解放して、魚類１７のみを第１箱網６２（更に、第２箱網６３）に導くという効果が得られる。
【００３０】
以上本発明の実施形態を図面に基づいて詳述してきたが、本発明の技術的範囲はこれに限られるものではない。本発明の技術的範囲はこれに限られず、例えば、実施形態２では選択的解放手段として一対の傾斜網壁を上下に配置した場合を示したが、これに限らず、水平方向に配置してもよい。即ち、１対の下流に向かって中央に傾斜する第１傾斜網壁（岸方向に傾斜）と第２傾斜網壁（沖方向に傾斜）とで構成した場合でもよい。更に、他の形式の定置網（例えば、片端口の場合）やサイズの異なる中型又は小型の定置網にも適用される。
【図面の簡単な説明】
【００３１】
【図１】本発明を実施した実施形態１の要部平面図を示す。
【図２】実施形態１の側面断面図を示す。
【図３】小室の斜視図を示す。
【図４】気泡発生装置を示す。
【図５】実施形態２の平面図を示す。
【図６】図５の矢視Ｙ−Ｙから見た側面断面図を示す。
【図７】実施形態２の選択的解放手段を示す。
【図８】実施形態２の別の選択的解放手段を示す。
【図９】従来の定置網の例を示す。
【符号の説明】
【００３２】
１０          エチゼンクラゲ等の巨大クラゲ
１７          魚類
２０          第２囲網
２１          小室
２１ｃ      頂部
２２          第２囲網の下流側網部
３０          開口
３２          第１傾斜網壁
３３          第２傾斜網壁
３４          間隙
５１          垣網
５２          囲網
５２ａ      運動場
５２ｂ      登網部
５２ｃ      端口
６２          第１箱網
６２ａ      第１箱網の入口
６３          第２箱網
【図１】
2009201463.tif 000003
【図２】
2009201463.tif 000004
【図３】
2009201463.tif 000005
【図４】
2009201463.tif 000006
【図５】
2009201463.tif 000007
【図６】
2009201463.tif 000008
【図７】
2009201463.tif 000009
【図８】
2009201463.tif 000010
【図９】
2009201463.tif 000011